(57)【要約】【課題】複数のソース機器を効率的に接続可能にするとともに、その接続の設定作業を容易化したソース機器選択装置を提供する。【解決手段】まず、ソース機器の一覧を表示して、そのうちいずれかの選択を受け付け、ソース機器が選択されると、接続部の一覧を表示して、選択されたソース機器を接続する接続部の選択を受け付ける。この選択受付処理によって選択されたソース機器および接続部を対応づけて接続機器テーブルに記憶する。コンテンツ再生時にソース機器が選択されると、そのソース機器が接続されている接続部を接続機器テーブルから検索して、セレクタをその接続部に切り換える。【選択図】図２
2010278579.tif 000002
【特許請求の範囲】
【請求項１】
映像信号、音声信号の両方または一方を出力するソース機器が接続される複数の接続部と、
前記接続部から入力された映像信号または音声信号を再出力する出力部と、
前記接続部に接続可能なソース機器を記憶した候補機器記憶部と、
前記候補機器記憶部に記憶されているソース機器の一覧を表示して、そのうちいずれかの選択を受け付け、さらに、前記接続部の一覧を表示して、前記選択されたソース機器を接続する接続部の選択を受け付ける接続機器登録部と、
前記接続機器登録部によって選択されたソース機器および接続部を対応づけて記憶する接続機器記憶部と、
前記接続機器記憶部に記憶されているソース機器を表示して、そのうちいずれかの選択を受け付ける再生機器選択部と、
前記再生機器選択部が受け付けたソース機器が接続されている接続部を、前記接続機器記憶部から検索し、その接続部を前記出力部に接続する接続切換部と、
を備えたソース機器選択装置。
【請求項２】
前記複数の接続部は、映像信号を入力する映像信号用接続部、音声信号を入力する音声信号用接続部、映像信号、音声信号の両方を入力する複合接続部を含み、
１台のソース機器の接続に使用される前記映像信号用接続部、前記音声信号用接続部、または、前記複合接続部の組み合わせを記憶した接続部組み合わせ記憶部を備え、
前記接続機器登録部は、前記接続部の一覧として、前記接続部組み合わせ記憶部に記憶されている組み合わせの一覧を表示する請求項１に記載のソース機器選択装置。
【請求項３】
前記接続機器登録部は、前記接続機器記憶部に既に登録されている接続部を含む組み合わせを、前記一覧の表示から除外する請求項２に記載のソース機器選択装置。
【発明の詳細な説明】
【技術分野】
【０００１】
この発明は、複数のソース機器の接続および選択を容易にしたソース機器選択装置に関する。
【背景技術】
【０００２】
複数のＡＶ（オーディオ・ビデオ）機器を自由に組み合わせてＡＶシステムを構成するカスタム・インストレーションが広く行われている。カスタム・インストレーションにおいて、複数のソース機器を接続して多様なオーディオ・ビデオコンテンツの中から所望のものを自由に選択して再生するためにＡＶレシーバが用いられる（例えば非特許文献１）。
【０００３】
ＡＶレシーバには、ソース機器として、ＳＴＢ（セット・トップ・ボックス）、ＤＶＤプレーヤ、ＶＣＲ（ビデオ・カセット・レコーダ）デッキなど多くの機器が接続される。
【先行技術文献】
【非特許文献】
【０００４】
【非特許文献１】Yamaha Corporation of America、“RX-V / RX-Z / RX-N Series, AV Receivers from Yamaha Electronics”、［online］、平成２１年、Yamaha Corporation of America、［平成２１年５月１５日検索］、インターネット＜URL：http://www.yamaha.com/yec/products/productdetail.html?CNTID=558249&CTID=5000300＞
【発明の概要】
【発明が解決しようとする課題】
【０００５】
上記複数のソース機器の映像信号、音声信号の出力形式はまちまちであり、同じ種類のソース機器（例えばＤＶＤプレイヤ）であっても、メーカ、機種等により信号の出力形式は同じではない。たとえば、音声信号の場合、アナログ出力、デジタルの光出力、同軸出力などがあり、映像信号の場合、デジタルの（音声信号を含む）ＨＤＭＩ出力、アナログのコンポーネント出力、コンポジット出力等がある。そして、各出力形式ごとに異なるインタフェース（コネクタ）が必要である。
【０００６】
従来のＡＶレシーバには、（１）１種類のソース機器に対して１種類のコネクタを固定的に割り当てたもの、（２）各ソース機器に対して全ての種類のコネクタを備えたもの等があった。
【０００７】
（１）の形態の装置は、各ソース機器ごとに入力が固定されているため、接続に自由度がなくソース機器の選択が制約を受けるという問題点があった。（２）の形態の装置は、各ソース機器に対して多種類のコネクタを備える必要があるため、装置背面が多くのコネクタに占有され煩雑であるとともに、小型化の妨げになるという問題点があった。
【０００８】
この発明は、複数のソース機器を効率的に接続可能にするとともに、その接続の設定作業を容易化したソース機器選択装置を提供することを目的とする。
【課題を解決するための手段】
【０００９】
請求項１の発明は、映像信号、音声信号の両方または一方を出力するソース機器が接続される複数の接続部と、前記接続部から入力された映像信号または音声信号を再出力する出力部と、前記接続部に接続可能なソース機器を記憶した候補機器記憶部と、前記候補機器記憶部に記憶されているソース機器の一覧を表示して、そのうちいずれかの選択を受け付け、さらに、前記接続部の一覧を表示して、前記選択されたソース機器を接続する接続部の選択を受け付ける接続機器登録部と、前記接続機器登録部によって選択されたソース機器および接続部を対応づけて記憶する接続機器記憶部と、前記接続機器記憶部に記憶されているソース機器を表示して、そのうちいずれかの選択を受け付ける再生機器選択部と、前記再生機器選択部が受け付けたソース機器が接続されている接続部を、前記接続機器記憶部から検索し、その接続部を前記出力部に接続する接続切換部と、を備えたことを特徴とする。
【００１０】
請求項２の発明は、前記複数の接続部は、映像信号を入力する映像信号用接続部、音声信号を入力する音声信号用接続部、映像信号、音声信号の両方を入力する複合接続部を含み、１台のソース機器の接続に使用される前記映像信号用接続部、前記音声信号用接続部、または、前記複合接続部の組み合わせを記憶した接続部組み合わせ記憶部を備え、前記接続機器登録部は、前記接続部の一覧として、前記接続部組み合わせ記憶部に記憶されている組み合わせの一覧を表示することを特徴とする。
【００１１】
請求項３の発明は、前記接続機器登録部は、前記接続機器記憶部に既に登録されている接続部を含む組み合わせを、前記一覧の表示から除外することを特徴とする。
【発明の効果】
【００１２】
この発明によれば、接続機器記憶部にソース機器と接続部を対応づけて記憶し、ソース機器が選択されたとき、そのソース機器が接続されている接続部を接続機器記憶部から検索して接続を切り換えるようにしたことにより、少ない接続部で多種類のソース機器を効率的に接続することが可能になる。さらに、ユーザがソース機器を選択したとき、そのソース機器が接続されている接続部が選択される。
【００１３】
また、ソース機器の一覧を表示して、そのうちいずれかの選択を受け付け、接続部の一覧を表示して、選択されたソース機器を接続する接続部の選択を受け付けるという手順でソース機器の接続の登録を受け付けることにより、不慣れなユーザでも容易に機器の接続を登録することが可能になる。
【図面の簡単な説明】
【００１４】
【図１】この発明の実施形態であるＡＶレシーバを含むＡＶシステムの構成図
【図２】前記ＡＶレシーバのブロック図
【図３】前記ＡＶレシーバの背面図
【図４】前記ＡＶレシーバに記憶されているコネクタ選択テーブルを示す図
【図５】前記ＡＶレシーバに記憶されている候補機器テーブルを示す図
【図６】前記ＡＶレシーバに記憶されている接続機器テーブルを示す図
【図７】前記ＡＶレシーバの制御部のソース機器接続時の動作を示すフローチャート
【図８】前記ソース機器接続時のＴＶ表示の例を示す図
【図９】前記ＡＶレシーバの制御部のコンテンツ再生時の動作を示すフローチャート
【図１０】前記コンテンツ再生時のＴＶ表示の例を示す図
【発明を実施するための形態】
【００１５】
図１は、この発明の実施形態であるＡＶレシーバ１を含むＡＶシステムの構成図である。このＡＶシステムは、ＡＶレシーバ１に、複数のソース機器２、ＴＶ（モニタ）３、スピーカ４が接続されたいわゆるカスタムインストレーションのＡＶシステムである。
【００１６】
ＡＶレシーバ１は、複数のソースを接続し、該複数のソース機器２から１つを選択するセレクタ機能、選択されたソース機器２から入力される音声信号を増幅してスピーカに出力するオーディオアンプ機能、ソース機器２から入力される映像信号およびオーディオ信号を下流側のＴＶ３に出力するレピータ機能、ＦＭ放送などのラジオ放送を受信するチューナ機能、ユーザの操作に応じてソース機器２、ＴＶ３を制御するコマンダ機能等を有している。
【００１７】
ＡＶレシーバ１に上流側装置として接続されるソース機器２としては、たとえば、ＳＴＢ（セット・トップ・ボックス）２１、ＤＶＤプレーヤ２２、ＶＣＲ（ビデオ・カセット・レコーダ）２３、パーソナルコンピュータ（ＰＣ）２４、ＵＳＢメモリ２５、ｉＰｏｄ（登録商標）２６等がある。ＳＴＢ２１は、ケーブルまたは衛星から受信したテレビ放送を再生する再生部を有している。ＤＶＤプレーヤ２２は、セットされたディスクを再生する再生部を有している。ＶＣＲ２３は、セットされたビデオカセットを再生する再生部を有している。ＰＣ２４は、オーディオコンテンツやビデオコンテンツ等を記憶する記憶部（ＨＤＤ）を有しているとともに、これらコンテンツを再生する再生機能も有している。ＵＳＢメモリ２５は、オーディオコンテンツ等のコンテンツを記憶する記憶部を有している。また、ｉＰｏｄ２６は、オーディオコンテンツやビデオコンテンツ等を記憶する記憶部（ＨＤＤやフラッシュメモリ）を有しているとともに、これらコンテンツを再生する再生機能も有している。各ソース機器２は、図２、図３に示すようなコネクタに接続されている。各コネクタとソース機器２との接続については後述する。
【００１８】
また、ＡＶレシーバ１の下流側装置として接続されるＴＶ３は、主として、ＡＶレシーバ１から入力される映像を表示するためのモニタとして使用される。
【００１９】
また、ＡＶレシーバ１は、リモコン５が発生した赤外線のリモコン信号を受信するためのリモコン信号受信部１２を有している。
【００２０】
図２は、ＡＶレシーバ１のブロック図、図３はＡＶレシーバ１の背面図である。ＡＶレシーバ１の背面には、上記複数のソース機器２を接続するための各種コネクタが設けられている。なお、各コネクタはトランシーバ等の物理層の電気回路も含むものとする。
【００２１】
上記複数のソース機器２が接続されるコネクタとして、デジタルで映像信号・オーディオ信号を入力するＨＤＭＩコネクタ４１（４１−１，４１−２，４１−３）、映像信号を輝度信号、色差信号で入力するコンポーネントコネクタ４２（４２−１，４２−２）、映像信号を入力するコンポジットコネクタ４３、デジタルのオーディオ信号を入力する同軸（Ｃｏａｘ）コネクタ４４、デジタルのオーディオ信号を入力する光（Ｏｐｔ）コネクタ４５、アナログのオーディオ信号を入力するアナログコネクタ４６を備えている。コンポーネントコネクタ４２、コンポジットコネクタ４３、同軸コネクタ４４、アナログコネクタ４６のコネクタ形状は、すべてＲＣＡコネクタである。
【００２２】
ＨＤＭＩコネクタ４１には、ＳＴＢ２１やＤＶＤプレイヤ２２等が接続される。コンポジットコネクタ４３、アナログオーディオコネクタ４６には、たとえばアナログＶＣＲデッキ２３等が接続される。
【００２３】
また、特定の機器専用のコネクタとして、ＰＣ２４とネットワークを介して接続されるＬＡＮコネクタ４７、ＵＳＢメモリ２５が接続されるＵＳＢコネクタ４８、ｉＰｏｄ２６の専用ベイが接続されるｉＰｏｄコネクタ４９が接続されている。ＬＡＮコネクタ４７はＥｔｈｒｅｎｅｔコネクタである。
【００２４】
各コネクタはセレクタ１４に接続されている。なお、アナログの入力端子であるコンポーネントコネクタ４２、コンポジットコネクタ４３、アナログオーディオコネクタ４６は、Ａ／Ｄコンバータ５１，５２，５３を介してセレクタ１４に接続されている。
【００２５】
また、セレクタ１４には、内蔵のソース機器として、チューナ１８、制御部１０も接続されている。チューナ１８はＦＭ放送などの放送音声を受信再生する装置である。制御部１０はマイコン等で構成されており、セレクタ１４を切り換える機能を有するとともに、各種操作ガイド、設定ウィザード等のＯＳＤ等を表示する機能を有し、ＯＳＤを表示するときソース機器として機能する。
【００２６】
セレクタ１４には、各ソース機器２からオーディオ信号、映像信号、または、ビデオ信号が入力される。ここで、ビデオ信号とは、映像信号、オーディオ信号の両方を含む信号である。セレクタ１４は、選択したソース機器２のオーディオ信号をオーディオ信号処理部３０に出力し、選択したソース機器２の映像信号（またはビデオ信号）をＨＤＭＩトランスミッタ３４に出力する。ＨＤＭＩトランスミッタ３４にはＴＶ３が、ＨＤＭＩケーブルを介して接続されている。
【００２７】
オーディオ信号は、オーディオ信号処理部３０で音質等が調整されたのち、Ｄ／Ａコンバータ３１でアナログ信号に変換される。このアナログ信号がオーディオアンプ３２で増幅され、スピーカ４に入力される。なお、オーディオーアンプ３２がディジタルアンプの場合、Ｄ／Ａコンバータ３１は、オーディオ信号をＰＣＭコードからＰＷＭ信号に変換する回路で構成される。
【００２８】
リモコン５は、ＡＶレシーバ１の電源をオン／オフする電源ボタン、ＡＶ３に表示されたカーソルを移動させるカーソルボタン等を有している。ユーザがボタンを操作すると、リモコン５は、その操作されたボタンに対応する赤外線のリモコン信号を発生する。ＡＶレシーバ１は、リモコン５が発生した赤外線信号を受信するリモコン信号受信部１２を備えている。リモコン信号受信部１２は、リモコン５が発生したリモコン信号を受信すると、そのコマンドコードを解析して制御部１０に入力する。制御部１０は、リモコン信号受信部１２から入力されたコマンドコードに基づき、例えばセレクタ１４を切り換えるなどのコマンドに対応する処理を実行する。
【００２９】
ここで、ソース機器２と各コネクタ４１〜４６の接続について説明する。図３に示したように、ＡＶレシーバ１には、３つのＨＤＭＩ端子４１（ＨＤＭＩ１，ＨＤＭＩ２，ＨＤＭＩ３）、２つのコンポーネント端子４２（Ｃｏｍｐｏｎｅｎｔ１，Ｃｏｍｐｏｎｅｎｔ２とする）、コンポジット端子４３（Ｃｏｍｐｏｓｉｔｅ）、同軸端子４４（Ｃｏａｘｉａｌ）、光端子４５（Ｏｐｔｉｃａｌ）、アナログオーディオ端子４６（Ａｎａｌｏｇ）が設けられている。これらのコネクタは、特定のソース機器に対応づけられておらず、任意のソース機器を接続可能である。
【００３０】
これらのコネクタを用いてビデオ信号（映像信号とオーディオ信号）を入力する場合の、コネクタの組み合わせは１２通りである。
【００３１】
ＨＤＭＩ１
ＨＤＭＩ２
ＨＤＭＩ３
Ｃｏｍｐｏｎｅｎｔ１＋Ｃｏａｘｉａｌ
Ｃｏｍｐｏｎｅｎｔ１＋Ｏｐｔｉｃａｌ
Ｃｏｍｐｏｎｅｎｔ１＋Ａｎａｌｏｇ
Ｃｏｍｐｏｎｅｎｔ２＋Ｃｏａｘｉａｌ
Ｃｏｍｐｏｎｅｎｔ２＋Ｏｐｔｉｃａｌ
Ｃｏｍｐｏｎｅｎｔ２＋Ａｎａｌｏｇ
Ｃｏｍｐｏｓｉｔｅ＋Ｃｏａｘｉａｌ
Ｃｏｍｐｏｓｉｔｅ＋Ｏｐｔｉｃａｌ
Ｃｏｍｐｏｓｉｔｅ＋Ａｎａｌｏｇ
【００３２】
また、オーディオ（音声）信号のみを入力するためのコネクタは、以下の３通りである。
【００３３】
Ｃｏａｘｉａｌ
Ｏｐｔｉｃａｌ
Ａｎａｌｏｇ
【００３４】
ソース機器を上記いずれかの組み合わせのコネクタに接続すれば、ビデオ信号やオーディオ信号をＡＶレシーバ１に入力し、セレクタ１４で選択することができる。しかし、このようにコネクタ４１〜４６をフリーアサインにすると、どのコネクタにどのソース機器が接続されるかが判らない。一方、一般的なユーザは、コンテンツの入力元（ソース）をコネクタの名称ではなくソース機器の名称で選択するのが一般的である。
【００３５】
そこで、このＡＶレシーバ１では、図６に示す接続機器テーブルでソース機器２とコネクタ４１〜４６とを対応づけている。この対応づけは、ユーザの操作で行うが、不慣れなユーザでも間違わないように、手順に従った選択画面（ウィザード）を表示しながら接続作業を行えるようにした。
【００３６】
このウィザードでは、ソース機器を選択させ、そのソース機器が接続可能なコネクタ（の組み合わせ）の一覧を表示する。ユーザは、このコネクタの一覧から、ソース機器を接続するコネクタを選択する。ソース機器とコネクタの組み合わせが選択されると、この選択されたソース機器とコネクタの組み合わせを接続機器テーブル（図６参照）に登録する。
【００３７】
図４は上記コネクタの組み合わせを記憶したコネクタ選択テーブルを示す図である。このテーブルにおいては、上記組み合わせに１５〜１の接続番号を付して識別している。そして、このテーブルでは、既にソース機器が接続済（使用中）のコネクタを記憶するとともに、この使用中のコネクタを含まない、選択可能な組み合わせ（接続番号）を記憶している。
【００３８】
図５は、このＡＶレシーバ１に接続可能なソース機器を記憶した候補機器テーブルを示す図である。このテーブルには、ケーブルテレビ受信用のセットトップボックス（ＣａｂｌｅＴＶ）、衛星放送受信用のセットトップボックス（ＳａｔｅｌｉｔｅＴＶ）、ＤＶＤプレイヤ、Ｂｌｕ−ｒａｙプレイヤ、ビデオカセットデッキ（ＶＣＲ）、ゲーム機（Ｇａｍｅ）、ＣＤプレイヤ、その他（Ｏｔｈｅｒ）が示されている。なお、候補機器は図５に示したものに限定されない。
【００３９】
図５に示す再生可能アクティビティとは、各ソース機器が再生可能なコンテンツの種類を示す情報である。このＡＶレシーバ１では、コンテンツをＬｉｓｔｅｎ，Ｗａｔｃｈ，Ｐｌａｙの３種類のコンテンツ（アクティビティ）に分類している。Ｌｉｓｔｅｎは、耳で聴いて楽しむコンテンツであり、オーディオコンテンツである。Ｗａｔｃｈは、眼で見て楽しむコンテンツであり、ビデオコンテンツである。また、Ｐｌａｙは、ユーザが自分で操作して楽しむコンテンツであり、たとえばゲームやフォトアルバム（画像）コンテンツである。
【００４０】
図５によれば、ケーブル放送や衛星放送を受信するセットトップボックスが再生可能なアクティビティは、Ｗａｔｃｈのみである。また、ＤＶＤプレーヤが再生可能アクティビティは、ＷａｔｃｈとＬｉｓｔｅｎである。すなわちＤＶＤで映画等のビデオコンテンツ（Ｗａｔｃｈ）を再生できるとともに、ＣＤの音楽コンテンツ（Ｌｉｓｔｅｎ）も再生可能だからである。Ｂｌｕ−ｒａｙプレイヤも同様である。またＶＣＲデッキはＷａｔｃｈのみ、ゲーム機はＰｌａｙのみ、ＣＤはＬｉｓｔｅｎのみ再生可能である。また、その他機器は、再生可能アクティビティが不明であるため、Ｌｉｓｔｅｎ，Ｗａｔｃｈ，Ｐｌａｙの全てのアクティビティを再生可能とされている。
【００４１】
各ソース機器２とＡＶレシーバ１とは、そのソース機器が再生するコンテンツ（アクティビティ）を入出力可能なコネクタで接続される。
【００４２】
図６は接続機器テーブルを示す図である。接続機器テーブルは、ＡＶレシーバ１に接続されているソース機器と、そのソース機器が使用しているコネクタが登録されるテーブルである。
【００４３】
この図では、ＣａｂｌｅＴＶ（ＳＴＢ）が接続番号１５、すなわち、ＨＤＭＩ１（４１−１）に接続されている。Ｂｌｕ−ｒａｙプレイヤが接続番号１４、すなわち、ＨＤＭＩ２（４１−２）に接続されている。また、ＶＣＲが接続番号６、すなわち、Ｃｏｍｐｏｓｉｔｅ４３およびＣｏａｘｉａｌ４４に接続されている。
【００４４】
図４のコネクタ選択テーブルの「選択可組み合わせ」欄および「選択済コネクタ」欄の内容は、図６の接続がされたときの内容を示している。
【００４５】
なお、この接続機器テーブルに登録されているソース機器のうち、最上位のＴｕｎｅｒは内蔵されているソース機器であり、ユーザによる接続操作を要しない。また、ＰＣ，ＵＳＢ，ｉＰｏｄは、専用のコネクタに接続されるものであるため、接続番号は付されない。
【００４６】
ユーザがソース機器２をＡＶレシーバ１に接続するとき、ＡＶレシーバ１の制御部１０は、ＡＶ３にウィザードを表示して接続作業を容易にする。
【００４７】
図７はユーザによるソース機器接続時の制御部１０の処理を示すフローチャート、図８は、そのときのＴＶ３への画面表示例を示す図である。
【００４８】
図７において、ユーザによりソース機器接続の操作があると、セレクタ１４を制御部１０に切り換えたのち、以下の動作を実行する。まず、図５の候補機器テーブルからソース機器の候補を読み出して画面に表示する（Ｓ１）。このソース機器選択画面の例を図８（Ａ）に示す。このソース機器選択画面を表示して、ユーザによるソース機器の選択を受け付ける（Ｓ２）。ユーザによりソース機器が選択されると、そのソース機器に対応したコネクタの組み合わせの候補を表示する（Ｓ３）。このコネクタ選択画面の例を図８（Ｂ）に示す。このコネクタの組み合わせの候補の表示は、他の機器が接続済のコネクタを含まないもののみを表示する。また、選択されたソース機器がオーディオ専用機器の場合には、映像信号用のコネクタを含まない接続番号１〜３のみを表示する。
【００４９】
このコネクタ選択画面を表示して、ユーザによるコネクタ（接続番号）の選択を受け付ける（Ｓ４）。ユーザによりコネクタが選択されると、ソース機器、接続番号、アクティビティを図６の接続機器テーブルに登録して（Ｓ５）処理を終了する。
【００５０】
なお、この処理と平行して、ユーザは、選択したコネクタにソース機器の接続を行えばよい。
【００５１】
以上の動作でソース機器２とコネクタ４１〜４６の対応関係が接続機器テーブルに登録される。その後、ユーザがコンテンツを再生する場合、まずアクティビティを選択し、この選択に対応してＴＶ３に表示されるそのアクティビティを再生可能なソース機器のなかから所望のものを選択する。
【００５２】
図９は、制御部１０のコンテンツ再生開始時の動作を示すフローチャートである。図１０は、そのときのＴＶ３の画面表示例を示す図である。
【００５３】
ユーザによりコンテンツ選択の操作があると、まずセレクタ１４を制御部１０に切り換える（Ｓ１１）。これは、以下の選択画面をＴＶ３に表示するためである。次に、図１０（Ａ）に示すようなアクティビティ選択画面をＴＶ３に表示する（Ｓ１２）。この表示に応じてユーザがアクティビティを選択する（Ｓ１３）。アクティビティの選択操作が行われると、図６の接続機器テーブルを参照して、選択されたアクティビティを再生可能なソース機器を抽出する（Ｓ１４）。そして、抽出されたソース機器を選択する機器選択画面（図１０（Ｂ）参照）を表示する（Ｓ１５）。
【００５４】
この表示に応じてユーザがソース機器を選択する（Ｓ１６）。ソース機器の選択操作が行われると、このソース機器にアクセスし、このソース機器が再生可能なコンテンツのうち、先に選択されているアクティビティに該当するものを抽出し（Ｓ１７）、コンテンツ選択画面（図１０（Ｃ）参照）を表示する。この表示に応じてユーザがコンテンツを選択すると（Ｓ１９）、セレクタ１４を選択されたソース機器に切り換えて（Ｓ２１）、選択されたコンテンツの再生を開始する（Ｓ２２）。このコンテンツの再生開始は、ＡＶレシーバ１自身がそのコンテンツを再生する（たとえばＭＰＥＧ２ファイルを読み出してデコードする）場合のほか、ソース機器２に対してコンテンツの再生を開始するよう指示する動作を含む。  
なお、Ｓ９の選択操作でコンテンツを選択せず「戻る」操作をした場合（Ｓ２０）には、ソース機器選択画面の表示動作（Ｓ１５）にもどる。
【００５５】
この実施形態では、ＡＶレシーバ１をソース機器選択装置としたが、ソース機器選択装置の具体的構成はＡＶレシーバに限定されない。
【符号の説明】
【００５６】
１  ＡＶレシーバ
２  ソース機器
１０  制御部
１４  セレクタ
４１〜４６  コネクタ
【図１】
2010278579.tif 000003
【図２】
2010278579.tif 000004
【図３】
2010278579.tif 000005
【図４】
2010278579.tif 000006
【図５】
2010278579.tif 000007
【図６】
2010278579.tif 000008
【図７】
2010278579.tif 000009
【図８】
2010278579.tif 000010
【図９】
2010278579.tif 000011
【図１０】
2010278579.tif 000012